(57)【特許請求の範囲】
【請求項１】
外周面に雄係合手段が形成されている口頸部を有する容器本体を直立状態に支持して、搬送径路を通して搬送する搬送手段と、該搬送径路中に配置されている蓋体被嵌域に配設された蓋体供給手段と、該搬送径路中の、該蓋体供給域よりも下流に配置されている仮締域に配設された仮締手段とを具備し、
該蓋体供給手段は、天面壁及び該天面壁から垂下する筒状スカート壁を有し且つ該スカート壁の内周面には雄係合手段と協働する雌係合手段が形成されている蓋体を、中心軸線が上方に向かって容器本体の搬送方向に見て下流側に傾斜した前傾状態で該蓋体被嵌域に順次に供給し、容器本体が該蓋体被嵌域を通る際に、該蓋体被嵌域に前傾状態で位置せしめられている蓋体が該容器本体の口頸部に被嵌されるようにせしめ、
該仮締手段は、口頸部に蓋体が被嵌された容器本体が該仮締域を通る際に、該搬送径路の片側において蓋体のスカート壁に干渉し、これによって容器本体の口頸部に対して蓋体を閉方向に回転せしめる、蓋体仮装着装置において、
少なくとも該蓋体被嵌域の下流端から該搬送径路に沿って下流に、容器本体の口頸部の外径よりは大きいが蓋体のスカート壁下端の外径よりは小さい間隔をおいて延在する一対の矯正レールを備え、口頸部に蓋体が被嵌された容器本体が該蓋体被嵌域から下流に搬送される際に、該一対の矯正レールが蓋体のスカート壁下端に作用して蓋体を実質上水平な状態に矯正する、ことを特徴とする蓋体仮装着装置。
【請求項２】
該一対の矯正レールは少なくとも該仮締域の上流部まで延在せしめられており、該仮締域の上流部においては、該仮締手段の作用によって蓋体が回転せしめられても、該一対の矯正レールによって蓋体の下降が制限されることによって、蓋体の雌係合手段と容器本体の口頸部の雄係合手段との係合が開始されることはない、請求項１記載の蓋体仮装着装置。
【請求項３】
該搬送手段は容器本体を実質上水平に搬送し、該一対の矯正レールは少なくとも部分的に下流に向かって下方に０乃至５度の傾斜角度で傾斜せしめられている、請求項１又は２記載の蓋体仮装着装置。
【請求項４】
少なくとも該蓋体被嵌域の下流端から該仮締域の上流部までの範囲において容器本体の口頸部に被嵌されている蓋体を下方に弾性的に偏倚する弾性偏倚手段が配設されている、請求項１から３までのいずれかに記載の蓋体仮装着装置。
【請求項５】
該弾性偏倚手段は搬送方向に配列された複数個の板ばね部材から構成されている、請求項４記載の蓋体仮装着装置。
【発明の詳細な説明】
【０００１】
【発明の属する技術分野】
本発明は、内容物が充填された容器本体を蓋締装置に送給する前に、容器本体の口頸部に蓋体を仮装着するための蓋体仮装着装置に関する。
【０００２】
【従来の技術】
当業者には周知の如く、飲料等のための容器として、外周面には雄螺条の如き雄係合手段が形成されている容器本体と、天面壁とこの天面壁から垂下する筒状スカート壁とを有し且つスカート壁の内周面には上記雄係合手段と協働する雌螺条の如き雌係合手段が形成されている蓋体との組合せが広く実用に供されている。そして、かような容器を使用する飲料等の充填システムにおいては、容器本体が充填装置に送給され、この充填装置において容器本体内に内容物が充填される。次いで、内容物が充填された容器本体が蓋体仮装着装置に送給され、この蓋体仮装着装置において容器本体の口頸部に蓋体が仮装着される。しかる後に、蓋体が仮装着された容器本体が蓋締装置に送給され、この蓋締装置においては容器本体の口頸部の雄係合手段に蓋体の雌係合手段が充分強固に係合せしめられ、かくして容器本体の口頸部が密封される。
【０００３】
特公平３−１４７１５号公報には、上述した充填システムに使用される蓋体仮装着装置が開示されている。かかる仮装着装置は、容器本体を直立状態に支持して実質上水平に延びる搬送径路を通して搬送せしめる搬送手段と、搬送径路中に配置されている蓋被嵌域に配設されている蓋体供給手段と、搬送径路中の、蓋体供給域よりも下流に配置されている仮締域に配設された仮締手段とを具備している。蓋体供給手段は、蓋体をその中心軸線が上方に向かって容器本体の搬送方向に見て下流側に傾斜した前傾状態で蓋体被嵌域に順次に供給する。容器本体が蓋体被嵌域を通る際に、蓋体被嵌域に前傾状態で位置せしめられている蓋体が容器本体の口頸部に被嵌される。仮締手段は、口頸部に蓋体が被嵌された容器本体が仮締域を通る際に、搬送径路の片側において蓋体のスカート壁に干渉し、これによって容器本体の口頸部に対して蓋体を閉方向に回転せしめる。蓋体のかような回転によって、容器本体の口頸部に蓋体が仮装着され、即ち口頸部の雄係合手段と蓋体の雌係合手段とが比較的緩く係合せしめられ、かくして蓋体が被嵌された容器本体が蓋締装置に送給される前に、容器本体の口頸部に被嵌された蓋体が振動等に起因して傾斜してしまうことが防止される。
【０００４】
【発明が解決しようとする課題】
而して、本発明者等の経験によれば、特に蓋体のスカート壁の内周面に形成されている雌係合手段の下端と蓋体の下端との間の中心軸線方向長さが比較的短く、従って容器本体の口頸部に蓋体が被嵌された時の、口頸部に対する蓋体の被嵌が比較的浅い場合に、上述したとおりの仮装着装置においては、次のとおりの問題が発生することが判明した。即ち、容器本体の口頸部に被嵌された蓋体が蓋体被嵌域における前傾状態から非傾斜状態即ち実質上水平な状態にせしめられることなく、従って容器本体の口頸部に被嵌された蓋体が口頸部に対して相当傾斜した状態のままで仮締域に送給されてしまう傾向がある。また、容器本体の口頸部に被嵌された蓋体が前傾状態から一旦実質上水平な状態にせしめられた場合にも、仮締域の上流端において仮締手段が蓋体の片側に干渉し始めた時に仮締手段から蓋体に加えられる力によって、蓋体が搬送方向に対して横方向に傾斜せしめられる傾向がある。傾斜した状態の蓋体が仮締域を通して搬送されと、仮締手段によって蓋体が適切に回転されず、仮締されないままで仮締域を通過してしまう、或いは蓋体が傾斜した状態のままで回転せしめられることによって雄係合手段と雌係合手段とが不適切に係合せしめられ、蓋体に所謂斜め被りが発生する。
【０００５】
本発明は上記事実に鑑みてなされたものであり、その主たる技術的課題は、蓋体被嵌域において容器本体の口頸部に前傾状態で被嵌された蓋体が仮締域に搬送されるまでの間に、蓋体を前傾状態から実質上水平な状態に確実に矯正することができる、新規且つ改良された蓋体仮装着装置を提供することである。
【０００６】
本発明の他の技術的課題は、仮締域の上流端において仮締手段が蓋体に干渉し始める際に、実質上水平な状態の蓋体が傾斜せしめられてしまうことが確実に防止され、そしてまた仮締域において蓋体の雌係合手段が充分円滑に容器本体の口頸部の雄係合手段に係合せしめられる、新規且つ改良された蓋体仮装着装置を提供することである。
【０００７】
【課題を解決するための手段】
上記主たる技術的課題を解決するために、本発明においては、少なくとも蓋体被嵌域の下流端から搬送径路に沿って下流に、容器本体の口頸部の外径よりは大きいが蓋体のスカート壁下端の外径よりは小さい間隔をおいて延在する一対の矯正レールを配設し、口頸部に蓋体が被嵌された容器本体が蓋体被嵌域から下流に搬送される際に、一対の矯正レールが蓋体のスカート壁下端に作用して蓋体を実質上水平な状態に矯正するようにせしめる。
【０００８】
即ち、本発明によれば、上記主たる技術的課題を解決する蓋体仮装着装置として、外周面に雄係合手段が形成されている口頸部を有する容器本体を直立状態に支持して、搬送径路を通して搬送する搬送手段と、該搬送径路中に配置されている蓋体被嵌域に配設された蓋体供給手段と、該搬送径路中の、該蓋体供給域よりも下流に配置されている仮締域に配設された仮締手段とを具備し、
該蓋体供給手段は、天面壁及び該天面壁から垂下する筒状スカート壁を有し且つ該スカート壁の内周面には雄係合手段と協働する雌係合手段が形成されている蓋体を、中心軸線が上方に向かって容器本体の搬送方向に見て下流側に傾斜した前傾状態で該蓋体被嵌域に順次に供給し、容器本体が該蓋体被嵌域を通る際に、該蓋体被嵌域に前傾状態で位置せしめられている蓋体が該容器本体の口頸部に被嵌されるようにせしめ、
該仮締手段は、口頸部に蓋体が被嵌された容器本体が該仮締域を通る際に、該搬送径路の片側において蓋体のスカート壁に干渉し、これによって容器本体の口頸部に対して蓋体を閉方向に回転せしめる、蓋体仮装着装置において、
少なくとも該蓋体被嵌域の下流端から該搬送径路に沿って下流に、容器本体の口頸部の外径よりは大きいが蓋体のスカート壁下端の外径よりは小さい間隔をおいて延在する一対の矯正レールを備え、口頸部に蓋体が被嵌された容器本体が該蓋体被嵌域から下流に搬送される際に、該一対の矯正レールが蓋体のスカート壁下端に作用して蓋体を実質上水平な状態に矯正する、ことを特徴とする蓋体仮装着装置が提供される。
【０００９】
上記主たる技術的課題の達成に加えて、上記他の技術的課題を達成するためには、該一対の矯正レールは少なくとも該仮締域の上流部まで延在せしめられており、該仮締域の上流部においては、該仮締手段の作用によって蓋体が回転せしめられても、該一対の矯正レールによって蓋体の下降が制限されることによって、蓋体の雌係合手段と容器本体の口頸部の雄係合手段との係合が開始されることはない、ように構成する。
【００１０】
該搬送手段は容器本体を実質上水平に搬送し、該一対の矯正レールは少なくとも部分的に下流に向かって下方に０乃至５度の傾斜角度で傾斜せしめられているのが好都合である。好適には、少なくとも該蓋体被嵌域の下流端から該仮締域の上流部までの範囲において容器本体の口頸部に被嵌されている蓋体を下方に弾性的に偏倚する弾性偏倚手段が配設されている。該弾性偏倚手段は搬送方向に配列された複数個の板ばね部材から構成されているのが好ましい。
【００１１】
【作用】
本発明の蓋体仮装着手段によれば、蓋体被嵌域において容器本体の口頸部に蓋体が前傾状態で被嵌された後に、容器本体及びその口頸部に被嵌された蓋体が仮締域まで搬送される際に、一対の矯正レールの作用によって蓋体が実質上水平な状態に強制的に矯正される。また、一対の矯正レールが少なくとも仮締域の上流部まで延在せしめられている態様においては、一対の矯正レールが蓋体のスカート壁下端に作用することによって蓋体は実質上水平な状態に確実に保持され、仮締域の上流端において仮締手段が蓋体に干渉し始めて仮締手段から蓋体に力が加えられても、蓋体が傾斜せしめられることはない。仮締域のおいて蓋体の回転が開始された後に蓋体の雌係合手段が容器本体の口頸部の雄係合手段に係合され始める故に、雌係合手段と雄係合手段との係合は充分円滑に進行せしめられる。
【００１２】
【発明の実施の形態】
以下、本発明に従って構成された蓋体仮装着装置の好適実施形態を図示している添付図面を参照して、更に詳細に説明する。
【００１３】
図１及び図２を参照して説明すると、図示の蓋体仮装着装置は、全体を番号２で示す回転ターレット式の搬送手段を具備している。それ自体は周知の形態でよい搬送手段２は実質上鉛直に延びる静止支持軸４を含んでいる。この支持軸４には略円筒形状の回転部材５が回転自在に装着されており、回転部材５の上端部には懸垂ターレット６が固定されている。実質上水平に配置されている懸垂ターレット６の外周縁には、周方向に等間隔をおいて複数個の半円形状切欠８が形成されている。懸垂ターレット６の外側には、懸垂ターレット６の外周縁に沿って弧状に延びる静止案内レール１０が配設されている。回転部材５は電動モータでよい回転駆動源（図示していない）に接続されており、回転部材５及びこれに固定されている懸垂ターレット６は図１に矢印１２で示す方向に連続的に回転駆動せしめられる。
【００１４】
図１に番号１４で示す搬入域において、それ自体は周知の形態でよい搬入手段（図示していない）によって、内容物が充填されている容器本体１６が搬送手段２に搬入される。ポリエチレンテレフタレートの如き適宜の合成樹脂から形成することができる容器本体は、図２に明確に図示する如く、略円筒形状の口頸部１８を有する。この口頸部１８の外周面には、雄係合手段を構成する雄螺条２０と、この雄螺条２０の下方に位置する環状膨出部２２が形成されている。環状膨出部２２の外周面には、周方向に適宜の間隔をおいて係止ラチェット（図示していない）が形成されている。口頸部１８の外周面には、更に、雄螺条２０の下方に位置する懸垂フランジ２４が形成されている。懸垂ターレット６に形成されている上記半円形状切欠８の内径は、容器本体１６の口頸部１８の外径と実質上同一であり、懸垂フランジ２４の外径よりは小さい。搬送手段２に搬入される容器本体１６は、図２を参照することによって容易に理解される如く、その懸垂フランジ２４を懸垂ターレット６の上方に位置せしめてその口頸部１８が懸垂ターレット６の切欠８内に部分的に収容され、かくして容器本体１６が直立状態で懸垂ターレット６に懸垂せしめられる。搬送手段２に搬入せしめられた容器本体１６は、懸垂ターレット６の回転に付随して、上記搬入域１４から図１に番号２６で示す移送域まで移動せしめられ、かくして容器本体１６は懸垂ターレット６の外周縁部に沿って弧状に延在する搬送径路２８を通して搬送される。上記静止案内レール１０は、搬送径路２８を通して搬送される際に容器本体１６の口頸部１８が懸垂ターレット６の切欠８から半径方向外方に離脱するのを防止する。後に更に詳述する如く、容器本体１６が搬送径路２８を通して搬送される間には、容器本体１６の口頸部１６に蓋体３０が被嵌され、仮締される。上記移送域２６においては、蓋体３０が仮締された容器本体１６が図１に簡略に図示する蓋締装置３２に移送される。蓋締装置３２自体は当業者には周知の形態のものでよく、その構成についての説明は本明細書においては省略する。
【００１５】
図１と共に図３及び図４を参照して説明すると、上記搬送径路２８には蓋体被嵌域３４と仮締域３６とが配置されている。そして、蓋体被嵌域３４には蓋体供給手段３８が配設されており、蓋体被嵌域３４よりも下流に配置されている仮締域３６には仮締手段４０が配設されている。
【００１６】
図示の蓋体供給手段３４は先端に向かって下方に傾斜して延びる静止シュート４２を含んでいる。かかる静止シュート４２の先端部は、容器本体１６の搬送径路２８に沿ってその上方を延在している。静止シュート４２の先端には一対の蓋体把持具４４（図３）が配設されている。かかる一対の蓋体把持具４４にはばね部材（図示していない）が付設されており、一対の蓋他把持具４４は静止シュート４２の先端において蓋体３０を両側から弾性的に把持、従って開放自在に把持する。図４に明確に図示されている如く、静止シュート４２の底壁４６は先端までは延びておらず、一対の蓋体把持具４４に保持されて静止シュート４２の先端に位置せしめられる蓋体３０の下方には存在しない。かような蓋体供給手段３４自体の構成は当業者には周知のものである故に、その詳細な説明は本明細書においては省略する。図４を参照することによって理解される如く、蓋体３０は円形天面壁４８とこの天面壁４８の周縁から垂下する円筒状スカート壁５０とを有する。図示の蓋体３０においては、スカート壁５０の下部に下方に向かって外径が漸次増大する円錐台形状部が存在し、スカート壁５０の下端部の外径は上部の外径よりも幾分大きくせしめられている。スカート壁５０の上部外周面には、所謂ナール（滑り防止のための凹凸形状）５２が形成されている。スカート壁５０の上部内周面には、雌係合手段を構成する雌螺条５４が形成されている。雌螺条５４に代えて、スカート壁５０の内周面に周方向に間隔をおいて複数個形成される所謂ラグから雌係合手段を構成することもできる。スカート壁５０の下部内周面には、容器本体１６の口頸部１８における環状膨出部２２に形成されているラチェット（図示していない）と協働するラチェット（図示していない）が周方向に間隔をおいて形成されている。かような蓋体３０は、その中心軸線が上方に向かって前方（従って容器本体１６の搬送方向に見て下流方向）に、２０度程度でよい傾斜角度で傾斜した前傾状態で、静止シュート４２を通して移送せしめられる。静止シュート４２の先端においては、一対の蓋体把持具４４が最先端の蓋体３０を弾性的に把持する。静止シュート４２の先端においては底壁４６が存在しない故に、最先端の蓋体３０の下端は底壁４６によって覆われることなく露呈せしめられている。図４を参照することによって容易に理解される如く、直立状態の容器本体１６が蓋体被嵌域３４を通過する際には、容器本体１６の口頸部１８の上端部が、静止シュート４２の先端に把持されている蓋体３０のスカート壁５０の前側部（図４において右側部）に後方即ち内側から干渉し、かくして一対の蓋体保持具４４から蓋体３０が開放されて容器本体１６の口頸部１８に被嵌される。最先端の蓋体３０が一対の蓋体把持具４４から開放されると、これに応じて静止シュート４２内において蓋体３０が前進せしめられ、次の蓋体３０が一対の蓋体把持具４４間に開放自在に把持される。
【００１７】
図３及び図４と共に図５を参照して説明を続けると、搬送径路２８の上方を蓋体被嵌域３４の下流部から仮締域３６よりも幾分下流まで延びる静止支持天板５６が配設されている。この支持天板５６の下面には一対の側壁部材５８が固定されている。一対の側壁部材５８は所定間隔をおいて平行に搬送径路２８に沿って弧状に延在せしめられており、支持天板５６の下面から実質上鉛直に下方に延びる垂下部６０とその下端から外側に突出する水平部６２とを有する。一対の側壁部材５８間の間隔は蓋体３０の最大外径（即ちスカート壁５０の下端外径）よりも幾分大きくせしめられている。上記支持天板５６の、搬送方向下流部には、半径方向外側に張り出した張出部が一体に形成されており、かかる張出部の下面に上記仮締手段４０が装着されている。この仮締手段４０は保持枠体６４とこの保持枠体６４に保持された仮締部材６６とを含んでる。保持枠体６４は複数個の接続柱６８を介して支持天板５６の張出部の下面に接続された上壁板７０とこの上面板７０に接続された枠部材７２とから構成されている。枠部材７２は底壁部７４、外側壁部７６及び両端壁部７８（図３）を有し、上面（この上面は上記上壁板７０によって閉じられる）と共に半径方向内側面は開口せしめられている。図３に図示する如く、枠部材７２の両端壁７８の半径方向内側端には制限突条８０が形成されている。仮締部材６６は搬送径路２８の片側（半径方向外側）を弧状に延びる主部８２と被保持部８４と両者間を接続している接続部８６とを有する。被保持部８４は上記枠部材７２内に収容され、接続部８６が枠部材７２から半径方向内方に突出せしめられている。仮締部材６６の被保持部８４と枠部材７２の外側壁部７６との間には、仮締部材６６を半径方向内方に、即ち搬送径路２８に向けて弾性的に偏倚する複数個のコイルばね８８が介在せしめられている。仮締部材６６の非保持部８４の搬送方向長さは枠部材７２の上記制限突条８０間の搬送方向長さより長く、仮締部材６６の半径方向内方への移動は被保持部８４の両端部が制限突条８０に当接することによって制限されている。仮締部材６６の主部８２は、図４から理解される如く、一対の側壁部材５８の一方（半径方向外側に位置する方）の垂下部６０に形成されている開口９０を貫通して半径方向内側に突出せしめられている。仮締部材６６の主部８２における半径方向内側面には、蓋体３０のスカート壁５０の外周面に形成されているナールに対応したナール（凹凸形状）９１が形成されている。
【００１８】
本発明に従って構成された蓋体仮装着装置においては、少なくとも蓋体被嵌域３４の下流端から搬送経路２８に沿って下流に延びる一対の矯正レール９２が配設されていることが重要である。図示の実施形態においては、図３乃至図５から明確に理解される如く、上記一対の側壁部材５８の水平部６２の下面に、締結ボルトの如き適宜の連結手段（図示していない）によって一対の矯正レール９２が固定されている。一対の矯正レール９２は所定間隔をおいて相互に平行に上記搬送経路２８に沿ってその両側を、蓋体被嵌域３４の下流部から仮締域３６よりも幾分下流まで延びている。図４に明確に図示されている如く、一対の矯正レール９２の各々は、蓋体被嵌域３４の下流部においては比較的大きな傾斜角度αをなして下流に向かって下方に傾斜して延び、次いで蓋体被嵌域３４の下流端から若干の傾斜角度βをなして下流に向かって下方に傾斜して延びている。上記傾斜角度αは、上記静止シュート４２の先端に開放自在に保持されている蓋体３０の傾斜角度と略同一で、２０度程度でよい。上記傾斜角度βは、０乃至５度程度であるのが好適である。図示の実施形態においては、一対の矯正レール９２は蓋体被嵌域３４の下流端から仮締域３６よりも幾分下流まで同一の傾斜角度βで一直線状に延びているが、所望ならば、一対の矯正レール９２の一部を、例えば蓋体被嵌域３４と仮締域３６との間に上流部（従って蓋体被嵌域３６の直ぐ下流に位置する部分）及び仮締域３６の上流部分等を、部分的に実質上水平に延在せしめることもできる。図５に明確に図示されている如く、一対の矯正レール９２の各々は、一対の側壁部材５８の水平部６２の内側縁を幾分越えて搬送経路２８に突出せしめられており、一対の側壁部材５８間の間隔は、容器本体１６の口頸部１８の外径よりは幾分大きいが蓋体３０のスカート壁５０の下端の外径よりは幾分小さくせしめられている。
【００１９】
本発明に従って構成された蓋体仮装着装置には、更に、少なくとも蓋体被嵌域３４の下流端から仮締域３６の上流端までの範囲において、容器本体１６の口頸部１８に被嵌された蓋体３０を下方に、従って口頸部１８に向けて弾性的に偏倚する弾性偏倚手段が配設されているのが好都合である。図４及び図５に図示する如く、図示の実施形態においては、一対の側壁部材５８間において支持天板５６の下面には、搬送方向に適宜の間隔をおいて複数個の板ばね部材９４が装着されており、かかる複数個の板ばね部材９４が上記弾性偏倚手段を構成している。複数個の板ばね部材９４の各々は、支持天板５６の下面に沿って位置せしめらた装着部９６と、この装着部９６から実質上鉛直に下方に延びる垂下部９８と、垂下部９８の下端から搬送方向下流に向かって幾分下方に傾斜して延びる作用部１００とを有する。板ばね部材９４の作用部１００の傾斜角度γは１０乃至２０度程度でよい。
【００２０】
上述したとおりの蓋体仮装着装置においては、搬送手段２によって直立状態に支持されて搬送される容器本体１６が蓋体被嵌域３４を通過する際に、蓋体供給手段３８の静止シュート４２の先端に開放自在に把持されている蓋体３０が容器本体１６の口頸部１８に被嵌される。図４に明確に図示する如く、静止シュート４２の先端に把持されている蓋体３０は、その中心軸線が上方に向かって容器本体の搬送方向に見て下流側に傾斜した前傾状態であり、かかる前傾状態の蓋体３０が容器本体１６の口頸部１８に被嵌される。次いで、蓋体被嵌域３４から下流に容器本体１６が搬送されると、図４及び図５を参照することによって明確に理解される如く、複数個の板ばね部材９４の作用部１００が蓋体３０の天面壁４８に作用して蓋体３０を下方に弾性的に偏倚せしめるが、搬送経路２８の両側部において、蓋体３０のスカート壁５０の下端が一対の矯正レール９２に当接することによって蓋体３０の下降が阻止される。蓋体被嵌域３４の下流側において一対の矯正レール９２は略水平に延びている、詳細には０乃至５度程度でよい若干の傾斜角度βで下流に向かって下方に傾斜して延びている故に、一対の矯正レール９２が蓋体３０のスカート壁５０の下端に作用することによって、蓋体３０は前傾状態から実質上水平な状態に矯正され、そして実質上水平な状態に維持されて搬送される。一対の矯正レール９２が蓋体３０のスカート壁５０の下端に作用して蓋体３０の下降を阻止する故に、蓋体３０は容器本体１６の口頸部１８に緊密に被嵌された状態にはならず、口頸部１８から若干浮上した状態に維持されるが、口頸部１８が蓋体３０のスカート壁５０の前側部（図４において右側部）に後方即ち内側から当接する故に、容器本体１６の移動に付随して蓋体３０も充分確実に下流に向けて搬送される。
【００２１】
容器本体１６及びその口頸部１８に被嵌された蓋体３０が仮締域３６に進入すると、仮締手段４０の仮締部材６６が、搬送経路２８の片側（半径方向外側）から蓋体３０のスカート壁５０の上部外周面に弾性的に当接せしめられる。かくして蓋体３０には搬送経路２８の片側から力が加えられるが、搬送経路２８の両側において一対の矯正レール９２が蓋体３０のスカート壁５０の下端に作用して蓋体３０を実質上水平な状態に拘束している故に、仮締部材６６から蓋体３０に加えられる上記力によって蓋体３０が横方向に傾動せしめられることはない。仮締部材６６の、ナール９１が形成されている内側面が蓋体３０のスカート壁５０の、ナール５２が形成されている上部外周面に弾性的に当接せしめられると、蓋体３０の搬送方向への移動が干渉され、これに起因して蓋体３０は閉方向、即ち図４及び図５において上方から見て時計方向に回転せしめられる。然るに、仮締域３６の上流部１０２においては、一対の矯正レール９２による蓋体３０の下降阻止に起因して、蓋体３０のスカート壁５０の内周面に形成されている雌螺条５４は未だ容器本体１６の口頸部１８の外周面に形成されている雄螺条２０よりも若干上方に位置せしめられており、従って蓋体３０が閉方向に回転せしめられても、蓋体３０の雌螺条５４が容器本体１６の口頸部１８の雄螺条２０に係合され始めることはなく、蓋体３０は所謂空回転せしめられる。容器本体１６及びその口頸部１８に被嵌されている蓋体３０が仮締域３６の上流部１０２を通過すると、一対の矯正レール９２の傾斜に応じて漸次下降せしめられる蓋体３０の雌螺条５４が容器本体１６の口頸部１８の雄螺条２０と協働し始め、かくして蓋体３０の閉方向の回転に応じて蓋体３０の雌螺条５４が容器本体１６の口頸部１８の雄螺条２０に比較的緩く螺合せしめられ、容器本体１６の口頸部１８に蓋体３０が仮締される。蓋体３０の雌螺条５４と容器本体１６の口頸部１８の雄螺条２０との螺合は、蓋体３０が閉方向に回転されるのと同時ではなく、それよりも幾分後に開始される故に、充分円滑に雌螺条５４が雄螺条２０に螺合され始め、不適切な螺合の発生が充分確実に回避される。
【００２２】
【発明の効果】
本発明の蓋体仮装着装置においては、蓋体被嵌域において容器本体の口頸部に前傾状態で被嵌された蓋体が、蓋体被嵌域から下流に搬送される際に一対の矯正レールの作用によって実質上水平な状態に確実に矯正される。また、仮締域の上流端において仮締手段が蓋体に干渉し始めた時に蓋体が実質上水平な状態から横方向に傾動せしめられることが確実に防止され、そしてまた仮締域において蓋体の雌係合手段が充分円滑に容器本体の口頸部の雄係合手段に係合される。
【図面の簡単な説明】
【図１】本発明に従って構成された蓋体仮装着装置の好適実施形態を示す簡略平面図。
【図２】図１の蓋体仮装着装置における搬送手段を示す部分断面図。
【図３】図１の蓋体仮装着装置における蓋体被嵌域及び仮締域を示す部分平面図。
【図４】図１の蓋体仮装着装置における蓋体被嵌域及び仮締域を示す展開断面図。
【図５】図１の蓋体仮装着装置における仮締域を示す断面図。
【符号の説明】
２：搬送手段
６：懸垂ターレット
１４：搬入域
１６：容器本体
１８：容器本体の口頸部
２０：容器本体の雄螺条（雄係合手段）
２６：移送域
２８：搬送径路
３０：蓋体
３４：蓋体被嵌域
３６：仮締域
３８：蓋体供給手段
４０：仮締手段
４８：蓋体の天面壁
５０：蓋体のスカート壁
５４：蓋体の雌螺条（雌係合手段）
６６：仮締め部材
９２：矯正レール
９４：板ばね部材（弾性偏倚手段）
【図１】
0003672977.tif 000002
【図２】
0003672977.tif 000003
【図３】
0003672977.tif 000004
【図４】
0003672977.tif 000005
【図５】
0003672977.tif 000006